(57)【要約】  本技術のさまざまな態様にしたがった火炎抑制パネルは、可搬型コンテナ中で検出された火炎状態に応答して、火炎抑制剤を送り出すように構成される。１つの実施形態において、火炎抑制パネルは、ハウジングの１つの側面上に配置された、熱に感応する検出チューブを有するハウジングを備える。熱に感応する検出チューブは、火炎状態にさらされることに応答して、火炎抑制剤を解放するように適応される。【選択図】  図３
2017525510.tif 000002
【特許請求の範囲】
【請求項１】
内部受容領域と、カバーとを有する、可搬型出荷コンテナのための火災抑制パネルにおいて、
前記可搬型出荷コンテナの、前記内部受容領域と前記カバーとの間に位置されるように構成されたハウジングと、
溝内に配置された検出チューブとを備え、
前記ハウジングは、
前記可搬型出荷コンテナの前記カバーに面するように構成された上部表面と、
前記内部受容領域に向けて面するように構成された前記溝を備えている下部表面とを備え、
前記検出チューブは、
火炎抑制剤で満たされ、予め決定された内部圧力のもとで保持され、
前記内部受容領域内での火炎状態にさらされることに応答して破裂し、前記内部受容領域中への前記火炎抑制剤の解放を引き起こすように構成されている、火炎抑制パネル。
【請求項２】
前記検出チューブは、圧入によって前記溝に対して固定される、請求項１に記載の火炎抑制パネル。
【請求項３】
前記検出チューブは、維持機構によって前記溝に結合される、請求項１に記載の火炎抑制パネル。
【請求項４】
前記維持機構は、前記検出チューブの周囲にはまって、前記下部表面に取り付けるように構成されたクリップを備える、請求項３に記載の火炎抑制パネル。
【請求項５】
前記検出チューブに結合されて、
前記検出チューブの前記内部圧力を感知し、
前記感知された内部圧力のインジケーションを表示するように構成されたインジケータをさらに備える、請求項１に記載の火炎抑制パネル。
【請求項６】
前記インジケータは、前記検出チューブの端に結合される、請求項５に記載の火炎抑制パネル。
【請求項７】
前記インジケータは、前記ハウジングの側面に沿って位置される、請求項５に記載の火炎抑制パネル。
【請求項８】
前記検出チューブの端に結合されて、前記検出チューブが抑制剤で満たされて加圧されるのを可能にするように構成されたバルブをさらに備える、請求項１に記載の火炎抑制パネル。
【請求項９】
前記検出チューブは、前記ハウジングパネルの前記下部表面を超えて外側には突出しない、請求項１に記載の火炎抑制パネル。
【請求項１０】
内部受容領域を有する、可搬型出荷コンテナのための火災抑制パネルにおいて、
前記内部受容領域を閉鎖するように構成されたカバーと、
前記カバーの下側面に沿って位置されたハウジングと、
溝内に配置された検出チューブとを備え、
前記ハウジングは、前記内部受容領域に向けて面するように構成された前記溝を備えている表面を備え、
前記検出チューブは、
火炎抑制剤で満たされ、予め決定された内部圧力のもとで保持され、
前記内部受容領域内での火炎状態にさらされることに応答して破裂し、前記内部受容領域中への前記火炎抑制剤の解放を引き起こすように構成されている、火炎抑制パネル。
【請求項１１】
前記検出チューブは、圧入によって前記溝に対して固定される、請求項１０に記載の火炎抑制パネル。
【請求項１２】
前記検出チューブは、維持機構によって前記溝に結合される、請求項１０に記載の火炎抑制パネル。
【請求項１３】
前記維持機構はクリップを備える、請求項１２に記載の火炎抑制パネル。
【請求項１４】
前記検出チューブに結合されて、
前記検出チューブの前記内部圧力を感知し、
前記感知された内部圧力のインジケーションを表示するように構成されたインジケータをさらに備える、請求項１０に記載の火炎抑制パネル。
【請求項１５】
前記インジケータは、
前記検出チューブの端に結合され、
前記カバーの側面に沿って位置される、請求項１４に記載の火炎抑制パネル。
【請求項１６】
前記検出チューブの端に結合されて、前記検出チューブが抑制剤で満たされて加圧されるのを可能にするように構成されたバルブをさらに備える、請求項１０に記載の火炎抑制パネル。
【請求項１７】
前記検出チューブは、前記ハウジングの前記表面を超えて外側には突出しない、請求項１０に記載の火炎抑制パネル。
【発明の詳細な説明】
【技術分野】
【０００１】
［０００１］
本願は、２０１４年８月２８日に提出された米国仮出願番号６２／０４２、９３０の利益を主張し、この出願の開示を参照によって組み込む。
【背景技術】
【０００２】
［０００２］
あるタイプのアイテムの大量出荷は、運送業において、コンテナと、コンテナを運んでいる輸送乗物とに危険を与え得る。例えば、リチウムイオンバッテリーは熱暴走を経験し得るし、バッテリーの温度が上昇するプロセスにおいて、バッテリーが発火するまでバッテリーの温度が継続的に増加し得る閉ループプロセスを生成する発熱性反応を、引き起こすかもしれない。この発火は、同一の大量コンテナにおいて保管された他のバッテリーに、発火されたバッテリーの近くに保管された他のコンテナに、又は輸送乗物自体に、迅速に拡散し得るカタストロフィックな火炎事象を生成するかもしれない。輸送乗物のタイプに依存して、乗物及びオペレータに対して増加されたセーフティリスクが生成し得る。例えば、航空輸送による、熱暴走に影響されやすい製品の大量出荷は、自然発生的な火炎状態に対する可能性を緩和するのを助けるための、何らかのシステム又は装置がない製品を航空機が輸送するのを許容するには、高過ぎるセーフティリスクを提示し得る。
【発明の概要】
【０００３】
［０００３］
本技術のさまざまな態様にしたがった火炎抑制パネルは、可搬型コンテナ中で検出された火炎状態に応答して、火炎抑制剤を送り出すように構成される。１つの実施形態において、火炎抑制パネルは、ハウジングの１つの側面上に配置された、熱に敏感な検出チューブを有するハウジングを備える。熱に敏感な検出チューブは、火炎状態にさらされることに応答して、火炎抑制剤を解放するように適応される。
【図面の簡単な説明】
【０００４】
［０００４］
本技術のより完全な理解は、以下の実例となる図面に関連して考慮されるとき、詳細な説明を参照することによって導出され得る。以下の図面において、類似した参照番号は、図面を通して同様の要素及びステップを指す。  
【図１】［０００５］  図１は、本技術の例示的な実施形態による、火炎抑制パネルと出荷コンテナとを典型的に図示している。
【図２】［０００６］  図２は、本技術の例示的な実施形態による、火炎抑制パネルの詳細な図を典型的に図示している。
【図３】［０００７］  図３は、本技術の例示的な実施形態による、火炎抑制パネルにおいて位置された検出チューブを典型的に図示している。
【図４】［０００８］  図４は、本技術の例示的な実施形態による、バースト検出チューブを典型的に図示している。
【図５】［０００９］  図５は、本技術の例示的な実施形態による、火炎抑制パネルの代替的な実施形態を典型的に図示している。
【発明を実施するための形態】
【０００５】
［００１０］
本技術は、機能ブロックコンポーネントと、さまざまな処理ステップとに関して説明され得る。このような機能ブロックは、特定された機能を実行して、さまざまな結果を達成するように構成された任意の数のコンポーネントによって実現され得る。例えば、本技術は、さまざまな危険物、危険制御材料、コンテナ材料、加圧、寸法、及び形状を用いてよく、これらは、特定された危険状態や適用や環境に適したさまざまな動作を実行し得る。本技術は、危険物及び／又は危険制御材料での動作のために構成された任意の数のシステムに関連して実施されてよく、説明されるシステムは、技術に対する１つの例示的な適用であるに過ぎない。さらに、本技術は、危険制御、危険防止、リスク低減、及びこれに類するもののための任意の数の従来技術を用いてよい。
【０００６】
［００１１］
本技術は、機能ブロックコンポーネントと、さまざまな処理ステップとに関してここで説明され得る。このような機能ブロックは、特定された機能を実行して、さまざまな結果を達成するように構成された任意の数のハードウェアコンポーネントによって実現され得る。例えば、本技術は、さまざまなハウジング、パネル、コネクタ、センサ、及びこれに類するものを用いてよく、これらは、さまざまな機能を実行し得る。さらに、本技術は、任意の数の構造、ビルディング、コンテナ、及び／又は、トラックや固定翼航空機や回転翼航空機や船舶のような乗物に関連して実施されてよく、説明されるシステムは、技術に対する１つの例示的な適用に過ぎない。さらに、本技術は、火炎を抑制することと、環境状態を感知することと、これに類することとのための任意の数の従来技術を用いてよい。
【０００７】
［００１２］
本技術のさまざまな態様にしたがった火炎抑制パネルのための方法及び装置は、苛性又は可燃性の流体を含んでいるバッテリー、可燃性の化学物質、火工品、及びこれに類するもののようなアイテムを輸送するのに、又は、出荷するのに使用されるような、任意のコンテナ及び／又は受口に関連して動作し得る。本技術のさまざまな典型的な実施は、輸送の間に燃焼を被るかもしれない任意のアイテムに対して使用されてよい任意のコンテナ及び／又は受口に適用され得る。
【０００８】
［００１３］
図１を参照すると、火炎抑制パネル１００は、上部表面１０４と、下部表面１０６とを有するハウジング１０２を備え得る。ハウジング１０２は、頂部の開いた出荷コンテナ１０８内に、そして、出荷コンテナ１０８内に保管された任意のアイテム１１２の上部に位置されるように適切に構成され得る。カバー１１０は、出荷コンテナ１０８の内部のハウジング１０２とアイテム１１２とを封じるか、又はそうでなければ封入するために、出荷コンテナ１０８に亘って位置され得る。
【０００９】
［００１４］
出荷コンテナ１０８は、出荷の間にアイテム１１２を収容し、そして、貨物を保持するか又はセキュリティ保護するための、任意の適切な装置又はシステムを備え得る。１つの実施形態において、出荷コンテナ１０８は、約２４インチ（６０．９６センチメートル）幅掛ける約２４インチ（６０．９６センチメートル）長さ、高さ約３０インチ（７６．２センチメートル）までの寸法を有する、標準化された出荷ユニットを備え得る。代替的に、出荷コンテナ１０８は、約４８インチ（１２１．９２センチメートル）までの任意の適切な寸法を備え得る。出荷コンテナ１０８は、木材、プラスチック、又は金属のような任意の適切な材料を備え得る。出荷コンテナ１０８は、代替的に、火炎に対する耐性があるように適応された材料を備え得る
［００１５］
カバー１１０は、出荷コンテナ１０８の内部エリア内で、アイテム１１２を完全に封入するか、又は封じるのに使用される。カバー１１０は、出荷コンテナ１０８の内部エリアをカバーする任意の適切な蓋、パネル、ドア、シート、又はこれに類するものを備え得る。カバー１１０は、出荷コンテナ１０８に対して取り付けるように構成されてよく、又は、カバー１１０は、出荷コンテナ自体の中に一体化され得る。例えば、１つの実施形態において、カバー１１０は、出荷コンテナ１０８の開いた頂部の部分に対して適切にはめられるように構成された蓋を備え、摩擦によって、又は、クリップ、ラッチ、バックル、ねじ、釘、又はこれに類するもののような機械的止め具によって、適所に保たれ得る。代替的な実施形態において、カバー１１０が、開いたポジションと閉じられたポジションの間で回転して、出荷コンテナ１０８の内部エリアに対するアクセスを提供することができるようにするために、適切に構成されたヒンジによって、出荷コンテナ１０８に対してカバー１１０が固定され得る。
【００１０】
［００１６］
ハウジング１０２は、出荷コンテナ１０８内にはまるように構成されており、火炎状態に反応し、そして、検出された火炎状態に応答して火炎抑制剤を解放するように構成されている。ハウジング１０２は、出荷コンテナ１０８内に位置されて、出荷コンテナ１０８中で輸送されているアイテム１１２の上に配置されてよい任意の適切な装置又はシステムを備え得る。例えば、ハウジング１０２は、上部表面１０４と、下部表面１０６とを有する実質的に長方形のパネルを備え得る。
【００１１】
［００１７］
ハウジング１０２は、プラスチック、合成物、木材、又は金属のような、任意の適切な材料を備え得る。ハウジング１０２は、生地や、プラスチックや、金属や、ポリマーや、これに類するもののような、耐火材料又は難燃材料も備えるか、単一の部分として構築されるか、あるいは、別々に構築されたセクション又は要素から形成され得る。ハウジング１０２は、硬質の、半硬質の、柔軟な、及び／又は、可鍛性の材料として形成されてよく、ハウジング１０２がともに使用されることが意図される出荷コンテナ１０８のタイプに依存して、任意の適切な寸法（すなわち、長さ、幅、高さ）を備え得る。例えば、２４インチ（６０．９６センチメートル）掛ける２４インチ（６０．９６センチメートル）の内部寸法を有する出荷コンテナ１０８に対して、ハウジング１０２は、ハウジング１０２が内部内にはまり、アイテム１１２の頂部に載ることができるようにする寸法を備え得る。代替的に、ハウジング１０２が、アイテム１１２の上に位置されるように、ハウジングが出荷コンテナ１０８の頂部のエッジに載ることができるようにするための各側面上に、ハウジングは、２４インチ（６０．９６センチメートル）よりも大きな寸法を備え得る。例えば、ハウジング１０２の２つ以上のエッジ部分は、出荷コンテナ１０８の頂部のエッジに沿って載るように構成されたフランジを備え得る一方、ハウジング１０２の中央部分が出荷コンテナ１０８の頂部と同一平面であるか、又はわずかにはめ込まれることができるようにする。ここで図５を参照すると、また別の実施形態において、ハウジング１０２は、単一のユニットを形成するために、カバー１１０の下側に一体化され得る。
【００１２】
［００１８］
ここで図２〜図４を参照すると、ハウジング１０２の下部表面１０６は、火炎検出及び抑制システムを受け取るように構成され得る。例えば、１つの実施形態において、埋め込まれたチャネル又は溝２０２は、検出システム３０２がハウジング１０２に結合されることができるように、下部表面１０６において形成され得る。溝２０２は、火炎検出器３０２を受け取るための任意の適切なサイズ又は形状を備え得る。例えば、溝２０２は、半円の埋め込まれた導管、又は、実質的に垂直な壁を有する囲われた凹部を備え得る。
【００１３】
［００１９］
検出システム３０２は、火炎状態を感知して、火炎抑制剤を解放する。検出システム３０２は、熱に感応する検出チューブ又は線形熱検出器のような、検出して火炎抑制剤を解放するための、任意の適切な装置又はシステムを備え得る。溝２０２内に位置されて、摩擦圧入（friction press fit）のような任意の適切な方法によって、又は、機械的止め具や、接着剤や、ストラップや、クリップや、タイや、フック及びループ止め具や、磁石や、圧縮管継手や、これに類する維持機構３０６によって適所に保たれるように、検出システム３０２は適切に構成され得る。
【００１４】
［００２０］
例えば、１つの代表的な実施形態において、検出システム３０２は、炎にさらされることや、一般的に火炎に関係付けられる上昇された周囲の温度や、又は、火炎に関係付けられる特定のエネルギーレベルのようなトリガ事象にさらされるまで、予め決定された内部圧力のもとで火炎抑制剤を保持するように構成された検出チューブ３０４を備え得る。検出チューブ３０４がトリガ事象にさらされることは、検出チューブ３０４が漏えいし、破裂し、又はそうでなければ内部圧力を失うまで、検出チューブ３０４の構造上の完全性を劣化させ得る。例えば、検出チューブ３０４中の開口４０２は、火炎の炎が検出チューブ３０４と接触することになる場所において、構造上の完全性における劣化の結果として生じる。
【００１５】
［００２１］
検出チューブ３０４は、構造上の完全性における劣化に応答して、火炎抑制剤を解放する。例えば、検出チューブ３０４が破壊するとき、火炎抑制剤が火炎上に分散されるように、火炎抑制剤は、開口４２０から噴出されるか、又はそうでなければ、開口４２０を通して漏れ出され得る。したがって、火炎抑制剤は、熱に感応する圧力チューブ１４０内に封じられ得る。
【００１６】
［００２２］
検出チューブ３０４は、トリガ事象にさらされたときに劣化するＦｉｒｅｔｒａｃｅ（登録商標）検出チューブ、アルミニウム、アルミニウム合金、セメント、セラミック、銅、銅合金、合成物、鉄、鉄合金、ニッケル、ニッケル合金、有機材料、ポリマー、チタン、チタン合金、ゴム、及びこれに類する任意の適切な材料を備え得る。検出チューブ３０４は、任意の適切な形状又は寸法に形成されてよく、コーティング耐性腐食、変形、破断、又は、トリガ事象とは関連のない他のダメージをさらに備えてよい。
【００１７】
［００２３］
検出チューブ３０４が加圧される内部圧力は、チューブの崩壊が生じることが望ましい温度又はエネルギーのレベルによって、決定され得る。例えば、検出チューブ３０４は、周囲の温度と内部圧力とのさまざまな組み合わせを被られたときに異なって劣化する材料を備え、これにより、トリガ条件によって何の条件が満たされるかをユーザが選択することができるようにし得る。検出チューブ３０４は、検出チューブを劣化させ、漏えいさせ、及び／又は破裂させる、検出チューブの内部圧力と温度との間の逆の関連性を実証し得る。例えば、検出チューブ３０４がより高いレベルに加圧されるにつれ、検出チューブ３０４は、より低い温度にさらされても破裂し得る。代替的に、検出チューブ３０４を崩壊させ、漏えいさせ、破裂させ、又はそうでなければ内部圧力を失わせる、検出チューブ３０４の内部圧力と温度との間の直接的な関連性を、検出チューブ３０４は実証し得る。
【００１８】
［００２４］
検出チューブ３０４は、出荷コンテナ１０８の内部のエリアにおける周囲の圧力よりも、より高い内部圧力又はより低い内部圧力に加圧され得る。検出チューブ３０４の内部圧力は、検出チューブ３０４の両方の端を加圧して封じることのような任意の適切な方法において、達成されて持続され得る。検出チューブ３０４は、温度又は圧力における変化に敏感な任意の流体によって加圧され得る。例えば、空気、窒素又はアルゴンのような実質的に不活性の流体は、予め決定された内部圧力に検出チューブ３０４を加圧するのに使用され得る。
【００１９】
［００２５］
検出チューブ３０４はまた、予め決定された内部圧力を維持している間、各端上で封じられるようにも構成され得る。検出チューブ３０４は、任意の適切な方法によって封じられ得る。例えば、ここで図３を参照すると、検出チューブ３０８の第１の端が封じられ得、終了ポイント３１０において第２の端が封じられ得る。終了ポイント３１０はまた、検出チューブ３０４が加圧され得る場所を提供し得る。終了ポイント３１０は、プラグ、圧力ゲージ、シュレーダーバルブ、又は、プレスタバルブのような、検出チューブ３０４を封じるための任意の適切な方法又は装置を備え得る。
【００２０】
［００２６］
終了ポイント３１０は、火炎抑制パネル１００の動作状態を表示するように構成されたインジケータをさらに備え得る。例えば、インジケータは、検出チューブ３０４が完全に加圧されて、火炎状態を適切に抑制するのに機能的である場合、緑のパネルを表示し、そして、検出チューブ３０４が減圧されるか、又はそうでなければ、火炎状態を適切に抑制するのには損なわれた能力を示すだろう状態にある場合、赤表示を表示するように適応され得る。第２の実施形態において、インジケータは、ユーザに対して可視であり、検出チューブ３０４内の圧力を示すように適切に構成された圧力ゲージを備え得る。例えば、インジケータは、検出チューブ３０４をハウジング１０２から取り外す必要なく検出チューブ３０４の内部圧力が見られ得るように、ハウジング１０２の任意の適切な外部表面上に置かれてよい。
【００２１】
［００２７］
検出チューブ３０４は、下部表面１０６に対して同じ高さではまり得るか、又は、熱検出チューブ３０４は、下部表面１０６からわずかに外側に伸長し得る。検出チューブ３０４は、腐食、コスト、保護されるように求められる材料のタイプ、又は、出荷コンテナ１０８のサイズのような所望の設計上の考慮にしたがって、コイル、ループ、及び／又は、これに類するもののような任意の適切な形状で、下部表面１０６に沿って這わせ得る。
【００２２】
［００２８］
火炎抑制剤は、出荷コンテナ１０８が使用される特定の環境にしたがって選択され得る。例えば、火炎抑制パネル１００が、低い酸素レベルを維持することによって火炎を抑制するように構成されている場合、火炎抑制剤は、囲まれた容積１１０に放出されるとき、酸素レベルを吸収するように、又は、薄めるように適応された、任意の適切な化学物質又は化合物から選択され得る。別の例として、火炎抑制パネル１００が、火炎の化学反応を抑止することによって火炎を抑制するように構成されている場合、火炎抑制剤は、適切な薬剤から選択され得る。また別の実施形態において、火炎の熱を低減させることによって火炎を抑制するように適応された材料から、火炎抑制剤が選択され得る。
【００２３】
［００２９］
例えば、１つの火炎抑制剤は、破裂や、他の急速な燃焼のような、過渡事象に対して適切に適応され得る。代替的に、火炎抑制剤は、検出チューブ３０４内部の液体状態から、出荷コンテナ１０８中に噴出されるとき、気体状態に変化するように適切に適応され得る。火炎抑制剤は、代替的に、ＡＢＣ、ＢＣ又はＤ乾燥粉末のような、普通の乾燥化学抑制剤を備え得る。別の実施形態において、火炎抑制剤は、カリウムアセテートと水のような、火炎抑制混合物を備え得る。また別の実施形態において、危険制御材料は、リチウム、ナトリウム、カリウム、塩化物、グラファイト、アセチレン、酸化物及び磁鉄鉱の、さまざまな形態又は組み合わせのような、追加の化学物質又は化合物をさらに備えている抑制剤を備え得る。
【００２４】
［００３０］
火炎抑制剤はまた、危険を制御する、１つよりも多い方法を有するように適応され得る。例えば、火炎抑制剤は、複数の要素又は化合物を備え得る。ここにおいて、各化合物は、熱に対して反応的であること、又は、反応的でないこと、火炎から酸素を奪うために活性であること、火炎から放射された熱を吸収すること、及び／又は、火炎から別の化合物に熱を移行させることのような、異なる特性を有する。
【００２５】
［００３１］
危険を制御する方法に対するこれらの実施形態及び他の実施形態は、上記で記述された危険を制御するための装置の実施形態に関して説明されたような、概念、実施形態、及び実施例を組み込み得る。示されて説明された特定の実施は、技術と、その最良のモードとを例証しており、そうでなければ、いずれにしても本技術の範囲を限定することを意図されるものではない。実際、簡潔さの目的で、システムの従来の製造、接続、準備、及び他の機能的な態様は、詳細に説明されていないかもしれない。さらに、さまざまな図において示された接続ラインは、例示的な機能の関連性を、及び／又は、さまざまな要素間の物理的カップリングを表すことを意図されている。多くの代替的な、又は、付加的な機能の関連性又は物理接続が、実際のシステムにおいて表され得る。
【００２６】
［００３２］
本技術は、特有の例示的な実施形態を参照して説明されている。しかしながら、さまざまな修正及び変更が、本技術の範囲から逸脱することなく行われ得る。説明及び図面は、限定的なものよりもむしろ、実例となる方法において考えられており、すべてのこのような修正は、本技術の範囲内に含まれるように意図される。したがって、技術の範囲は、単に上述された特有の例だけよりもむしろ、説明された一般的な実施形態によって、及び、それらの適法な同等物によって決定されるべきである。例えば、任意の方法又はプロセス実施形態において規定されたステップは、そうでなければ明示的に特定されない限り、任意の順序で実行されてよく、特有の例において表される明白な順序に限定されるものではない。さらに、任意の装置実施形態において規定されたコンポーネント及び／又は要素は、組み合わせられるか、又はそうでなければ、本技術と実質的に同じ結果を生じるさまざまな順列において動作可能に構成され、したがって、特有の例において規定された特有の実施例に限定されない。
【００２７】
［００３３］
有益さ、他の利点、及び課題に対する解決策が、特定の実施形態に関して上述されてきた。しかしながら、どの有益さ、利点、課題に対する解決策も、又は特別の有益さ、利点、課題に対する解決策が生じる、又は、より言明されるどの要素も、決定的な、必要な、又は本質的な特徴若しくは構成として、解釈されるべきではない。
【００２８】
［００３４］
ここで使用されるような要素の一覧を備えるプロセス、方法、物品、構成及び装置は、規定されたこれらの要素のみを含むのではなく、明示的に一覧にされていない、又は、このようなプロセスや方法や物品や構成や装置に固有でない他の要素も含み得るように、用語「備える（ｃｏｍｐｒｉｓｅ）」、「備えること（ｃｏｍｐｒｉｓｉｎｇ）」、又は、この任意のバリエーションは、排他的でない包含を参照することが意図される。本技術の実施において使用される、上述された構造、配置、適用、全体バランス、要素、材料又は構成の、他の組み合わせ及び／又は修正は、具体的に記載されていないものに加えて、同一の一般的な原理から逸脱することなく、変更されるか、又はそうでなければ、特有の環境、製造仕様、設計パラメータ又は他の動作要件に、特に適応され得る。
【００２９】
［００３５］
本技術は、好ましい実施形態を参照して上述されてきた。しかしながら、本技術の範囲から逸脱することなく、変更及び修正が、好ましい実施形態に対して行われ得る。これらの変更や修正、及び、他の変更や修正は、以下の特許請求の範囲において表されるような本技術の範囲内に含まれるように意図される。
【図１】
2017525510.tif 000003
【図２】
2017525510.tif 000004
【図３】
2017525510.tif 000005
【図４】
2017525510.tif 000006
【図５】
2017525510.tif 000007
【国際調査報告】
2017525510.tif 000008